(57)【要約】【課題】ユーザによる操作の無駄を低減することができる画像処理装置、その制御方法及びプログラムを提供する。【解決手段】ステップＳ１３において、入力された画像信号から所定の情報の抽出を行う。この所定情報は、入力画像信号のヘッダ等に含まれている。次に、ステップＳ１４において、抽出された情報に基づいて、その入力画像信号が再生可能なものであるか判断する。そして、当該入力画像信号が再生可能であると判断した場合には、ステップＳ１５において、動作モードをカメラモード（撮影モード）から再生モードに切り替える。そして、ステップＳ１６において、入力画像信号の再生処理を行い、この再生処理された信号を画像表示部に表示させる。このようにして、動作モードの変更及び再生処理が行われる。【選択図】図２
2008312124.tif 000002
【特許請求の範囲】
【請求項１】
複数の動作モードで動作する画像処理装置であって、
前記複数の動作モードのうちから１つの動作モードを選択する選択手段と、
外部機器からの画像信号を受信する受信手段と、
前記画像信号の再生を行う再生手段と、
前記画像信号の前記再生手段による再生が可能であるか否かを判断する判断手段と、
を有し、
前記複数の動作モードには、少なくとも、前記再生手段による再生が許可された第１のモードと、前記再生手段による再生が拒否された第２のモードが含まれており、
前記選択手段は、前記第２のモードを選択している時に、前記受信手段が画像信号を受信し、前記判断手段が当該画像信号の前記再生手段による再生が可能であると判断した場合に、選択する動作モードを前記第２のモードから前記第１のモードに切り替える切替手段を有することを特徴とする画像処理装置。
【請求項２】
前記判断手段は、前記画像信号がデジタル信号である場合に、前記画像信号に含まれる圧縮方式又は符号化方式の少なくともいずれか一方を示す情報に基づいて前記再生手段による再生が可能であるか否かを判断することを特徴とする請求項１に記載の画像処理装置。
【請求項３】
前記判断手段は、前記画像信号がアナログ信号である場合に、前記画像信号に含まれるテレビ方式を示す情報に基づいて前記再生手段による再生が可能であるか否かを判断することを特徴とする請求項１に記載の画像処理装置。
【請求項４】
前記画像信号に含まれ、前記画像信号の方式を示す情報を表示する表示手段を有することを特徴とする請求項１乃至３のいずれか１項に記載の画像処理装置。
【請求項５】
前記選択手段は、前記第２のモードを選択している時に、前記受信手段が画像信号を受信し、前記判断手段が当該画像信号の前記再生手段による再生が可能であると判断した場合に、操作者に対して、前記動作モードの前記第２のモードから前記第１のモードへの切替の可否を問い合わせる手段を有し、
前記切替手段は、前記動作モードの切替が許可された場合に、前記動作モードを前記第１のモードから第２のモードに切り替えることを特徴とする請求項１乃至４のいずれか１項に記載の画像処理装置。
【請求項６】
前記再生手段は、前記画像信号の所定時間のプレビュー再生を行うプレビュー再生手段を有し、
前記選択手段は、前記第２のモードを選択している時に、前記受信手段が画像信号を受信し、前記判断手段が当該画像信号の前記再生手段による再生が可能であると判断した場合に、操作者に対して、前記プレビュー再生の実行の可否を問い合わせる手段を有し、
前記切替手段は、前記プレビュー再生の実行が許可された場合に、前記動作モードを前記第２のモードから前記第１のモードに切り替え、前記プレビュー再生が終了した後に、前記動作モードを前記第１のモードから前記第２のモードに切り替えることを特徴とする請求項１乃至５のいずれか１項に記載の画像処理装置。
【請求項７】
複数の動作モードで動作する画像処理装置を制御する方法であって、
前記複数の動作モードのうちから１つの動作モードを選択する選択ステップと、
外部機器からの画像信号を受信する受信ステップと、
前記画像信号の再生を行う再生ステップと、
前記画像信号の再生が可能であるか否かを判断する判断ステップと、
を有し、
前記複数の動作モードには、少なくとも、前記再生ステップにおける再生が許可された第１のモードと、前記再生ステップにおける再生が拒否された第２のモードが含まれており、
前記選択ステップは、前記第２のモードが選択されている時に、前記受信ステップにおいて前記外部機器からの画像信号を受信し、前記判断ステップにおいて当該画像信号の再生が可能であると判断した場合に、選択する動作モードを前記第２のモードから前記第１のモードに切り替える切替ステップを有することを特徴とする画像処理装置の制御方法。
【請求項８】
複数の動作モードで動作する画像処理装置の制御をコンピュータに行わせるためのプログラムであって、
前記コンピュータに、
前記複数の動作モードのうちから１つの動作モードを選択する選択ステップと、
外部機器からの画像信号を受信する受信ステップと、
前記画像信号の再生を行う再生ステップと、
前記画像信号の再生が可能であるか否かを判断する判断ステップと、
を実行させ、
前記複数の動作モードには、少なくとも、前記再生ステップにおける再生が許可された第１のモードと、前記再生ステップにおける再生が拒否された第２のモードが含まれており、
前記選択ステップは、前記第２のモードが選択されている時に、前記受信ステップにおいて前記外部機器からの画像信号を受信し、前記判断ステップにおいて当該画像信号の再生が可能であると判断した場合に、選択する動作モードを前記第２のモードから前記第１のモードに切り替える切替ステップを有することを特徴とするプログラム。
【発明の詳細な説明】
【技術分野】
【０００１】
本発明は、デジタルビデオカメラ等に好適な外部機器からの画像信号を再生することが可能な画像処理装置、その制御方法及びプログラムに関する。
【背景技術】
【０００２】
従来、デジタルビデオカメラ等の撮影及び再生が可能な機器において、外部機器から受信した画像信号を再生するためには、動作モードを再生モードに設定する必要がある。例えば、撮影モードに設定されている時に、外部機器と接続して画像信号を再生するためには、モード切替スイッチ等により手動で動作モードを再生モードへ切り替える必要がある。そして、このような切替が行われた後、外部機器から受信した画像信号の再生が行われる。
【０００３】
【特許文献１】特開平８−２３７５５９号公報
【発明の開示】
【発明が解決しようとする課題】
【０００４】
しかしながら、動作モードの切替を行った場合であっても、再生が適切に行われない場合がある。この場合、動作モードの切替操作が無駄になってしまう。
【０００５】
本発明は、ユーザによる操作の無駄を低減することができる画像処理装置、その制御方法及びプログラムを提供することを目的とする。
【課題を解決するための手段】
【０００６】
本願発明者は、前記課題を解決すべく鋭意検討を重ねた結果、以下に示す発明の諸態様に想到した。
【０００７】
本発明に係る画像処理装置は、複数の動作モードで動作する画像処理装置であって、前記複数の動作モードのうちから１つの動作モードを選択する選択手段と、外部機器からの画像信号を受信する受信手段と、前記画像信号の再生を行う再生手段と、前記画像信号の前記再生手段による再生が可能であるか否かを判断する判断手段と、を有し、前記複数の動作モードには、少なくとも、前記再生手段による再生が許可された第１のモードと、前記再生手段による再生が拒否された第２のモードが含まれており、前記選択手段は、前記第２のモードを選択している時に、前記受信手段が画像信号を受信し、前記判断手段が当該画像信号の前記再生手段による再生が可能であると判断した場合に、選択する動作モードを前記第２のモードから前記第１のモードに切り替える切替手段を有することを特徴とする。
【０００８】
本発明に係る画像処理装置の制御方法は、複数の動作モードで動作する画像処理装置を制御する方法であって、前記複数の動作モードのうちから１つの動作モードを選択する選択ステップと、外部機器からの画像信号を受信する受信ステップと、前記画像信号の再生を行う再生ステップと、前記画像信号の再生が可能であるか否かを判断する判断ステップと、を有し、前記複数の動作モードには、少なくとも、前記再生ステップにおける再生が許可された第１のモードと、前記再生ステップにおける再生が拒否された第２のモードが含まれており、前記選択ステップは、前記第２のモードが選択されている時に、前記受信ステップにおいて前記外部機器からの画像信号を受信し、前記判断ステップにおいて当該画像信号の再生が可能であると判断した場合に、選択する動作モードを前記第２のモードから前記第１のモードに切り替える切替ステップを有することを特徴とする。
【０００９】
本発明に係るプログラムは、複数の動作モードで動作する画像処理装置の制御をコンピュータに行わせるためのプログラムであって、前記コンピュータに、前記複数の動作モードのうちから１つの動作モードを選択する選択ステップと、外部機器からの画像信号を受信する受信ステップと、前記画像信号の再生を行う再生ステップと、前記画像信号の再生が可能であるか否かを判断する判断ステップと、を実行させ、前記複数の動作モードには、少なくとも、前記再生ステップにおける再生が許可された第１のモードと、前記再生ステップにおける再生が拒否された第２のモードが含まれており、前記選択ステップは、前記第２のモードが選択されている時に、前記受信ステップにおいて前記外部機器からの画像信号を受信し、前記判断ステップにおいて当該画像信号の再生が可能であると判断した場合に、選択する動作モードを前記第２のモードから前記第１のモードに切り替える切替ステップを有することを特徴とする。
【発明の効果】
【００１０】
本発明によれば、再生が拒否された第２のモードが選択されている場合であっても、外部機器から送信された画像信号が再生可能なものであれば、その再生が行われるため、再生可能か否かが不明な状態で動作モードをユーザが切り替える必要がなくなる。従って、ユーザによる操作の無駄を低減することができる。
【発明を実施するための最良の形態】
【００１１】
以下、本発明の実施形態について添付の図面を参照して具体的に説明する。
【００１２】
（第１の実施形態）
先ず、本発明の第１の実施形態について説明する。図１は、本発明の第１の実施形態に係る画像処理装置の構成を示すブロック図である。
【００１３】
画像処理装置２１には、撮像部１、画像信号処理部２、表示制御部３、画像表示部４、画像処理部５、記録媒体インターフェース６、システムコントロール部８、スイッチ９、レンズ１０、外部機器インターフェース１１及び信号方式検出部１３が設けられている。
【００１４】
撮像部１は、レンズ１０を介して入射する被写体の光学像を映像信号（電気信号）に変換する。画像信号処理部２は、撮像部１から出力された映像信号（電気信号）に対して、Ａ／Ｄ変換、信号レベル調節、画素補間、及び色変換等の所定の画像信号処理を行う。表示制御部３は、画像表示部４に表示する表示データを制御する。画像表示部４は、例えばＬＣＤである。画像処理部５は、画像信号処理部２から出力された画像データに対して、圧縮／伸張又は拡大／縮小等の画像処理を行う。記録媒体インターフェース６には、ＤＶテープ、ＤＶＤ及びＳＤメモリーカード等の着脱可能な記録媒体７が接続される。外部機器インターフェース１１には、無線通信、又はＩＥＥＥ．１３９４端子、ＵＳＢ端子等を介した有線通信により外部機器１２が接続される。外部機器１２としては、カメラ、パーソナルコンピュータ、プリンタ等が挙げられる。信号方式検出部１３は、外部機器インターフェース１１を介して外部機器１２から受信した画像信号を解析する。システムコントロール部８は、撮像部１、画像信号処理部２、表示制御部３、画像処理部５、記録媒体インターフェース６及び外部機器インターフェース１１の制御を、ＲＯＭ（図示せず）等に予め格納された所定のプログラムに基づいて行う。スイッチ９としては、例えば、電源スイッチ、動作切替スイッチ、フォトキー、サーチ選択キー、サーチ実行キー、動画撮影キー、再生スイッチ、画像送りスイッチ、画像戻しスイッチ、画像表示キー及び設定キー等が設けられている。スイッチ９の状態は、システムコントロール部８により認識される。システムコントロール部８は、選択手段として、動作切替スイッチの設定状況等に応じて、カメラモード（撮影モード）、スタンバイモード及び再生モード等の複数の動作モードのうちから１つの動作モードを選択する。再生モードが第１のモードに相当し、他の動作モードが第２のモードに相当する。
【００１５】
次に、上述のように構成された画像処理装置２１の動作について説明する。ここでは、主に、動作モードがカメラモード（撮影モード）に設定されている場合の動作モードの切替について説明する。図２は、第１の実施形態に係る画像処理装置２１の動作を示すフローチャートである。
【００１６】
スイッチ９において、電源スイッチがＯＮに設定され、かつ、動作切替スイッチがカメラモード（撮影モード）に設定されており、ステップＳ１１において、システムコントロール部８が、これらの設定を認識する。
【００１７】
次に、ステップＳ１２において、信号方式検出部１３は、外部機器１２が外部機器インターフェース１１に接続され、任意の画像信号が入力されているか判断する。つまり、信号方式検出部１３は、受信手段として機能する外部機器インターフェース１１が任意の画像信号を受信しているか判断する。信号方式検出部１３は、画像信号の入力がないと判断した場合には、そのまま待機する。
【００１８】
一方、信号方式検出部１３は、任意の画像信号が入力されていると判断した場合には、ステップＳ１３において、当該入力画像信号から所定の情報の抽出を行う。図３は、画像処理装置２１との間で送受信される信号パケットの基本構造を示す図である。１つのパケットはヘッダと画像データとから構成されている。そして、ヘッダには、例えば、テレビ方式（ＮＴＳＣ／ＰＡＬ）を示す情報、符号化方式（ＨＤＶ／ＤＶ）を示す情報、及びフレームレート（６０ｉ／５０ｉ／３０ｐ／２４ｐ／２５ｐ）を示す情報が含まれている。更に、アスペクト比（１６：９／４：３）を示す情報、及びコピーガードに関連する情報もヘッダに含まれている。また、圧縮方式に関する情報が含まれていてもよい。信号方式検出部１３は、入力画像信号からこれらのヘッダに含まれる情報を抽出する。
【００１９】
次に、ステップＳ１４において、システムコントロール部８が判断手段として、信号方式検出部１３によって抽出された情報に基づいて、その入力画像信号が再生可能なものであるか判断する。例えば、この画像処理装置２１がＮＴＳＣ再生専用のものである場合には、システムコントロール部８は、テレビ方式がＮＴＳＣを示していれば、再生可能であると判断し、テレビ方式がＰＡＬを示していれば、再生不可能であると判断する。また、スイッチ９の操作等により、ＨＤＶのみ再生可能と設定されている場合には、システムコントロール部８は、符号化方式がＨＤＶを示していれば、再生可能であると判断し、符号化方式がＤＶを示していれば、再生不可能であると判断する。特に、画像信号がデジタル信号である場合には、例えば、圧縮方式又は符号化方式の少なくともいずれか一方を示す情報に基づいて判断することができ、アナログ信号である場合には、例えば、テレビ方式を示す情報に基づいて判断することができる。そして、システムコントロール部８は、当該入力画像信号が再生不可能であると判断した場合には、当該入力画像信号に対する処理を終了する。その後、ステップＳ１２において、再度、信号方式検出部１３が任意の信号が入力されているか判断する。
【００２０】
一方、システムコントロール部８は、当該入力画像信号が再生可能であると判断した場合には、ステップＳ１５において、切替手段として、動作モードをカメラモードから再生モードに切り替える。この時、動作切替スイッチが機械的スイッチである場合には、動作切替スイッチも再生モードに切り替えることが好ましい。
【００２１】
次に、ステップＳ１６において、画像処理部５が再生手段として入力画像信号の再生処理を行い、この再生処理された信号を表示制御部３が、表示手段として機能する画像表示部４に表示させる。このようにして、動作モードの変更及び再生処理が行われる。
【００２２】
このような第１の実施形態によれば、入力画像信号が再生可能なものである場合に限り、動作モードが変更され、当該入力画像信号の再生が行われるので、動作モードの変更が無駄になることがなくなる。
【００２３】
従来のデジタルビデオカメラでは、外部機器から受信する画像信号を再生するために動作モードを切り替え、その後、再生の操作を行っても再生されないことがある。このような現象は、当該画像信号がそのデジタルビデオカメラで再生可能な方式に適合していない場合等に生じる。従って、所定の複数の操作を行った後でなければ当該画像信号が再生可能なものであるか否かを識別することはできないのである。このため、特に手動で動作モードの切替を行った場合にはその切替操作が無駄になっている。
【００２４】
これに対し、本実施形態では、再生可能な画像信号を受信した場合に、自動的に動作モードが切り替えられるため、動作モードの切替等の無駄な操作が低減される。
【００２５】
（第２の実施形態）
次に、本発明の第２の実施形態について説明する。第２の実施形態では、第１の実施形態と、動作モードがカメラモード（撮影モード）に設定されている場合の動作（動作モードの切替）が相違しており、他の構成等は第１の実施形態と同様である。ここでは、主に、このような動作モードの切替について説明する。図４は、第２の実施形態に係る画像処理装置の動作を示すフローチャートである。
【００２６】
スイッチ９において、電源スイッチがＯＮに設定され、かつ、動作切替スイッチがカメラモード（撮影モード）に設定されており、ステップＳ２１において、システムコントロール部８が、これらの設定を認識する。
【００２７】
次に、ステップＳ２２において、信号方式検出部１３は、外部機器１２が外部機器インターフェース１１に接続され、任意の画像信号が入力されているか判断する。信号方式検出部１３は、画像信号の入力がないと判断した場合には、そのまま待機する。
【００２８】
一方、信号方式検出部１３は、任意の画像信号が入力されていると判断した場合には、ステップＳ２３において、当該入力画像信号から所定の情報の抽出を行う。信号方式検出部１３は、第１の実施形態と同様に、入力画像信号からヘッダに含まれる情報を抽出する。
【００２９】
次に、ステップＳ２４において、信号方式検出部１３によって抽出された情報を表示制御部３が画像表示部４に表示させる。図５は、ステップＳ２４において画像表示部４に表示される情報の一例を示す模式図である。
【００３０】
次いで、ステップＳ２５において、システムコントロール部８が、信号方式検出部１３によって抽出された情報に基づいて、第１の実施形態と同様に、その入力画像信号が再生可能なものであるか判断する。そして、システムコントロール部８は、当該入力画像信号が再生不可能であると判断した場合には、当該入力画像信号に対する処理を終了する。その後、ステップＳ２２において、再度、信号方式検出部１３が任意の信号が入力されているか判断する。
【００３１】
一方、システムコントロール部８が、当該入力画像信号が再生可能であると判断した場合には、ステップＳ２６において、表示制御部３が画像表示部４に、入力画像信号が再生可能なものであることを表示させる。また、システムコントロール部８は、表示制御部３を介して、この情報の表示と共に、動作モードを再生モードに切り替えるか否かをユーザに選択させるユーザインターフェースも画像表示部４に表示させる。つまり、システムコントロール部８が動作モードの切替の可否をユーザ（操作者）に問い合わせる。図６は、ステップＳ２６において画像表示部４に表示される情報及びユーザインターフェースを示す模式図である。
【００３２】
そして、ステップＳ２７において、システムコントロール部８がユーザからの指示を判断する。システムコントロール部８は、ユーザが再生モードへの切替を拒否したと判断した場合（図６中の「ＣＡＮＣＥＬ」が選択された場合）には、当該入力画像信号に対する処理を終了する。その後、ステップＳ２２において、再度、信号方式検出部１３が任意の信号が入力されているか判断する。
【００３３】
一方、システムコントロール部は、ユーザが再生モードへの切替を許可したと判断した場合（図６中の「ＯＫ」が選択された場合）には、ステップＳ２８において、動作モードをカメラモードから再生モードに切り替える。この時、動作切替スイッチが機械的スイッチである場合には、動作切替スイッチも再生モードに切り替えることが好ましい。
【００３４】
次に、ステップＳ２９において、画像処理部５が入力画像信号の再生処理を行い、この再生処理された信号を表示制御部３が画像表示部４に表示させる。このようにして、動作モードの変更及び再生処理が行われる。
【００３５】
このような第２の実施形態によれば、第１の実施形態と同様の効果が得られると共に、ユーザの意思をより反映させた動作が可能となる。即ち、ユーザは、画像信号の方式に関する情報を認識した上で、動作モードの選択に意思を反映させることができる。
【００３６】
（第３の実施形態）
次に、本発明の第３の実施形態について説明する。第３の実施形態では、第１及び第２の実施形態と、動作モードがカメラモード（撮影モード）に設定されている場合の動作（動作モードの切替）が相違しており、他の構成等は第１及び第２の実施形態と同様である。ここでは、主に、このような動作モードの切替について説明する。図７は、第３の実施形態に係る画像処理装置の動作を示すフローチャートである。
【００３７】
スイッチ９において、電源スイッチがＯＮに設定され、かつ、動作切替スイッチがカメラモード（撮影モード）に設定されており、ステップＳ３１において、システムコントロール部８が、これらの設定を認識する。
【００３８】
次に、ステップＳ３２において、信号方式検出部１３は、外部機器１２が外部機器インターフェース１１に接続され、任意の画像信号が入力されているか判断する。信号方式検出部１３は、画像信号の入力がないと判断した場合には、そのまま待機する。
【００３９】
一方、信号方式検出部１３は、任意の画像信号が入力されていると判断した場合には、ステップＳ３３において、当該入力画像信号から所定の情報の抽出を行う。信号方式検出部１３は、第１及び第２の実施形態と同様に、入力画像信号からヘッダに含まれる情報を抽出する。
【００４０】
次に、ステップＳ３４において、システムコントロール部８が、信号方式検出部１３によって抽出された情報に基づいて、第１及び第２の実施形態と同様に、その入力画像信号が再生可能なものであるか判断する。そして、システムコントロール部８は、当該入力画像信号が再生不可能であると判断した場合には、当該入力画像信号に対する処理を終了する。その後、ステップＳ３２において、再度、信号方式検出部１３が任意の信号が入力されているか判断する。
【００４１】
一方、システムコントロール部８が、当該入力画像信号が再生可能であると判断した場合には、ステップＳ３５において、表示制御部３が画像表示部４に、入力画像信号が再生可能なものであることを表示させる。また、システムコントロール部８は、表示制御部３を介して、この情報の表示と共に、プレビュー再生を実行するか否かをユーザに選択させるユーザインターフェースも画像表示部４に表示させる。つまり、システムコントロール部８がプレビュー再生の実行の可否をユーザ（操作者）に問い合わせる。図８は、ステップＳ３５において画像表示部４に表示される情報及びユーザインターフェースを示す模式図である。
【００４２】
そして、ステップＳ３６において、システムコントロール部８がユーザからの指示を判断する。システムコントロール部８は、ユーザがプレビュー再生を拒否したと判断した場合（図８中の「ＣＡＮＣＥＬ」が選択された場合）には、当該入力画像信号に対する処理を終了する。その後、ステップＳ３２において、再度、信号方式検出部１３が任意の信号が入力されているか判断する。
【００４３】
一方、システムコントロール部は、ユーザがプレビュー再生を許可したと判断した場合（図８中の「ＯＫ」が選択された場合）には、ステップＳ３７において、動作モードをカメラモードから再生モードに切り替える。この時、動作切替スイッチが機械的スイッチである場合には、動作切替スイッチも再生モードに切り替えることが好ましい。
【００４４】
次に、ステップＳ３８において、画像処理部５が入力画像信号の所定時間のプレビュー再生処理を行い、この再生処理された信号を表示制御部３が、プレビュー再生手段としても機能する画像表示部４に表示させる。
【００４５】
次いで、ステップＳ３９において、システムコントロール部８が、再生処理された信号の表示が開始されてから所定の時間が経過したか否かの判断を行う。システムコントロール部８は、所定の時間が経過していないと判断した場合には、そのまま待機する。
【００４６】
一方、システムコントロール部８は、所定の時間が経過したと判断した場合には、ステップＳ４０において、動作モードを再生モードからカメラモードに切り替える。この時、動作切替スイッチが機械的スイッチである場合には、動作切替スイッチもカメラモードに切り替えることが好ましい。このようにして、動作モードの変更及び再生処理が行われる。
【００４７】
このような第３の実施形態によれば、第１の実施形態と同様の効果が得られると共に、再生をプレビュー再生として動作モードを再生前のものに速やかに戻すことができる。
【００４８】
なお、動作モードが上述のカメラモード、再生モード及びスタンバイモードに限定されることはなく、他の動作モードが含まれていてもよい。
【００４９】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記の印刷処理用のプログラムも本発明の実施形態として適用することができる。上記のプログラム、記録媒体、伝送媒体及びプログラムプロダクトは、本発明の範疇に含まれる。
【００５０】
また、特許文献１には、ＴＶ受像機において、ゲーム機等の外部機器からの画像信号を検出すると、待機状態から映像表示可能状態になる技術が記載されているが、画像信号の再生を行うこと等は記載されていない。
【図面の簡単な説明】
【００５１】
【図１】第１の実施形態に係る画像処理装置の構成を示すブロック図である。
【図２】第１の実施形態に係る画像処理装置の構成を示すブロック図である。
【図３】画像処理装置２１との間で送受信される信号パケットの基本構造を示す図である。
【図４】第２の実施形態に係る画像処理装置の動作を示すフローチャートである。
【図５】ステップＳ２４において画像表示部４に表示される情報の一例を示す模式図である。
【図６】ステップＳ２６において画像表示部４に表示される情報及びユーザインターフェースを示す模式図である。
【図７】第３の実施形態に係る画像処理装置の動作を示すフローチャートである。
【図８】ステップＳ３５において画像表示部４に表示される情報及びユーザインターフェースを示す模式図である。
【符号の説明】
【００５２】
１：撮像部
２：画像信号処理部
３：表示制御部
４：画像表示部
５：画像処理部
６：記録媒体インターフェース
７：記録媒体
８：システムコントロール部
９：スイッチ
１０：レンズ
１１：外部機器インターフェース
１２：外部機器
１３：信号方式検出部
２１：画像処理装置
【図１】
2008312124.tif 000003
【図２】
2008312124.tif 000004
【図３】
2008312124.tif 000005
【図４】
2008312124.tif 000006
【図５】
2008312124.tif 000007
【図６】
2008312124.tif 000008
【図７】
2008312124.tif 000009
【図８】
2008312124.tif 000010